(57)【要約】【課題】テーブル全体をふとん等で覆わなくても、熱がテーブルの下方空間から外側に逃げ難く、それだけ熱効率を向上させることができ、これにより、効率よくスポット暖房を行うことができるテーブル用ヒーター装置及びそれを備えたテーブルを提供する。【解決手段】ヒーター２１と、熱反射部２２と、回転軸２３ａを有する回転駆動部２３と、回転ファン２４とを具備するテーブル用ヒーター装置２０及びそれを備えたテーブル１０は、駆動部２３によるファン２４の回転駆動によって、ドーナツ状吹き出し領域Ｐを形成するとともに、円形状吸い込み領域Ｑを形成し、ヒーター２１による温気を熱反射部２２に反射させて領域Ｐから吹き出し、該吹き出された温気を領域Ｑから吸い込み、該吸い込まれた温気をさらに熱反射部２２に反射させて領域Ｐから吹き出すことで、温風を循環させる。【選択図】    図４
2005000419.tif 000002
【特許請求の範囲】
【請求項１】
ヒーターと、熱反射部と、回転軸を有する回転駆動部と、前記回転駆動部の前記回転軸に連接されるとともに前記回転駆動部による回転駆動によって空気を前記回転軸の軸線方向に沿う所定の送り方向に送り出す回転ファンとを具備するテーブル用ヒーター装置であって、
前記ヒーターは、前記送り方向において前記回転ファンより上流側に配置され、
前記熱反射部は、前記送り方向において前記回転ファンより上流側及び前記ヒーターを覆うように設けられ、
前記回転ファンは、前記回転軸から径方向に放射状に延びる複数の羽根支持部と、前記複数の羽根支持部のそれぞれに前記回転軸心から径方向外方に所定の距離をおいて支持される羽根とを有し、
前記回転駆動部による前記回転ファンの回転駆動によって、前記羽根の回動軌道路において空気を吹き出すドーナツ状の吹き出し領域を形成するとともに、前記ドーナツ状吹き出し領域の内周円内側において空気を吸い込む円形状の吸い込み領域を形成し、前記ヒーターによる温気を前記熱反射部に反射させて前記吹き出し領域から吹き出し、該吹き出された温気を前記吸い込み領域から吸い込み、該吸い込まれた温気をさらに前記熱反射部に反射させて前記吹き出し領域から吹き出すことで、温風を循環させることを特徴とするテーブル用ヒーター装置。
【請求項２】
前記熱反射部は、前記送り方向において前記ヒーターより上流側、且つ、前記回転ファンと同心円上に配置される円形状の第１反射板と、前記第１反射板の周端部から前記回転ファン側、且つ、前記第１反射板に対して略直角に延びる第２反射板とを有し、
前記回転駆動部による前記回転ファンの回転駆動によって、前記ヒーターによる温気を前記熱反射部の前記第１反射板及び前記第１反射板に対して略直角に延びる前記第２反射板に反射させて前記吹き出し領域から吹き出し、該吹き出された温気を前記吸い込み領域から吸い込み、該吸い込まれた温気をさらに前記熱反射部の前記第１反射板及び前記第２反射板に反射させて前記吹き出し領域から吹き出すことで、温風を循環させる請求項１記載のテーブル用ヒーター装置。
【請求項３】
前記ヒーターは前記ドーナツ状吹き出し領域に沿って設けられた略リング状のハロゲンヒーターである請求項１又は２記載のテーブル用ヒーター装置。
【請求項４】
前記回転駆動部への通電のオン及びオフの切り換えと、前記ヒーターへの通電のオン及びオフの切り換えとを独立して行うことができるように構成されている請求項１から３のいずれかに記載のテーブル用ヒーター装置。
【請求項５】
請求項１から４のいずれかに記載のテーブル用ヒーター装置を備えていることを特徴とするテーブル。
【発明の詳細な説明】
【０００１】
【発明の属する技術分野】
本発明は、テーブル用ヒーター装置及びそれを備えたテーブルに関する。
【０００２】
【従来の技術】
テーブル用ヒーター装置の中には、ヒーターと、熱反射部と、回転軸を有する回転駆動部と、前記回転駆動部の前記回転軸に連接されるとともに前記回転駆動部による回転駆動によって空気を前記回転軸の軸線方向に沿う所定の送り方向に送り出す回転ファンとを具備するものがある。
【０００３】
このようなテーブル用ヒーター装置は、一般的に、テーブル台と、該テーブル台を支持する支持脚とを具備するテーブルの該テーブル台下面の略中央部に下向き設けられることで、例えば、こたつ等のヒーター付きテーブルの加熱手段として利用される。
【０００４】
このこたつ等のヒーター付きテーブルは、通常、全体がふとん等で覆われ、空間が仕切られることで、一部の空間を暖かくする、いわゆるスポット暖房を行うことができる。
【０００５】
【発明が解決しようとする課題】
しかしながら、このようなヒーター付きテーブルにおいては、ふとん等を準備しなければならず、それだけ出費がかさむことになる。また、ふとん等が汚れたり、古くなったりすると、洗濯したり、買い換えたりすること等により、手間がかかったり、さらに出費がかさんだりする。
【０００６】
そこで、ヒーター付きテーブルについて全体をふとん等で覆わずに利用することが考えられるが、この場合、次のような問題がある。すなわち、
【０００７】
図１１（Ａ）に従来のヒーター付きテーブルの一例Ｔの概略側面図を示し、図１１（Ｂ）に図１１（Ａ）に示すテーブル用ヒーター装置Ａの一部拡大図を示す。なお、図１１において矢印は空気の流れを示す。後述する図１及び図４から図９の矢印についても同様である。
【０００８】
図１１（Ｂ）に示すように、テーブル用ヒーター装置Ａは、熱反射板Ｂと、ヒーターＣと、回転軸Ｄ１を有するファンモータＤと、ファンモータＤの回転軸Ｄ１に連接されるとともにファンモータＤによる回転駆動によって空気を回転軸Ｄ１の軸線Ｄ１’方向に沿う所定の送り方向Ｅに送り出す回転ファンＦとを備えている。
【０００９】
熱反射板Ｂは、送り方向ＥにおいてファンＦより下流側でファンＦと同心円上に配置される円形状の第１反射板Ｂ１と、第１反射板Ｂ１の周端部からファンＦ側で第１反射板Ｂ１に対して鈍角（例えば、１２０°程度）に延びる第２反射板Ｂ２とを有している。ヒーターＣは、送り方向ＥにおいてファンＦより下流側で第１反射板Ｂ１より上流側に配置されている。ファンＦは、回転軸Ｄ１から径方向に放射状に設けられた複数の羽根Ｆ１を有している。
【００１０】
この従来のテーブル用ヒーター装置Ａでは、ファンＦの羽根Ｆ１の径方向周端部と熱反射板Ｂの第２反射板Ｂ２との隙間は十分に広くなっており、ファンモータＤによるファンＦの回転駆動によって、ヒーターＣによる温気が熱反射板Ｂの第１反射板Ｂ１及び第１反射板Ｂ１に対して鈍角に延びる第２反射板Ｂ２に沿って吹き出される。
【００１１】
従って、このテーブル用ヒーター装置Ａが設けられたテーブルＴでは、図１１（Ａ）に示すように、熱がテーブルＴの下方空間から外側に逃げ易く、それだけ熱効率が低下することとなり、全体をふとん等で覆わない場合には、効率よくスポット暖房することができない。
【００１２】
本発明は、前記問題に鑑みてなされたもので、ヒーターと、熱反射部と、回転軸を有する回転駆動部と、前記回転駆動部の前記回転軸に連接されるとともに前記回転駆動部による回転駆動によって空気を前記回転軸の軸線方向に沿う所定の送り方向に送り出す回転ファンとを具備するテーブル用ヒーター装置であって、テーブル全体をふとん等で覆わなくても、熱がテーブルの下方空間から外側に逃げ難く、それだけ熱効率を向上させることができ、これにより、効率よくスポット暖房を行うことができるテーブル用ヒーター装置及びそれを備えたテーブルを提供することを課題とする。
【００１３】
【課題を解決するための手段】
本発明者は前記課題を解決するため鋭意研究を重ねたところ、次のことを見出した。
【００１４】
すなわち、ヒーターと、熱反射部と、回転軸を有する回転駆動部と、前記回転駆動部の前記回転軸に連接されるとともに前記回転駆動部による回転駆動によって空気を前記回転軸の軸線方向に沿う所定の送り方向に送り出す回転ファンとを具備するテーブル用ヒーター装置においては、前記ヒーターを、前記送り方向において前記回転ファンより上流側に配置し、また、前記熱反射部を、前記送り方向において前記回転ファンより上流側及び前記ヒーターを覆うように設け、さらに、前記回転ファンとして、前記回転軸から径方向に放射状に延びる複数の羽根支持部と、前記複数の羽根支持部のそれぞれに前記回転軸心から径方向外方に所定の距離をおいて支持される羽根とを有するものを採用すれば、前記回転駆動部による前記回転ファンの回転駆動によって、前記羽根の回動軌道路において空気を吹き出すドーナツ状の吹き出し領域が形成される。このとき、前記熱反射部が、既述の通り、前記送り方向において前記回転ファンより上流側を覆うように設けられているので、空気が吸い込まれるところが主として前記ドーナツ状吹き出し領域の内周円内側となり、前記ドーナツ状吹き出し領域の内周円内側において空気を吸い込む円形状の吸い込み領域が形成される。そして、前記ヒーターによる温気が前記熱反射部に反射して前記吹き出し領域から吹き出され、さらに言えば、前記ヒーター近傍の前記熱反射部及び前記回転ファンにたまった熱が送風によって効率よく送り出され、該吹き出された温気が前記吸い込み領域から吸い込まれ、該吸い込まれた温気がさらに前記熱反射部に反射して前記吹き出し領域から吹き出され、温風が循環する。従って、このテーブル用ヒーター装置がテーブルに設けられる場合、テーブル全体をふとん等で覆わなくても、熱がテーブルの下方空間から外側に逃げ難く、それだけ熱効率を向上させることができ、これにより、効率よくスポット暖房を行うことができる。
【００１５】
本発明はかかる知見に基づくものであり、前記課題を解決するため、次のテーブル用ヒーター装置及びテーブルを提供する。
【００１６】
（１）テーブル用ヒーター装置
ヒーターと、熱反射部と、回転軸を有する回転駆動部と、前記回転駆動部の前記回転軸に連接されるとともに前記回転駆動部による回転駆動によって空気を前記回転軸の軸線方向に沿う所定の送り方向に送り出す回転ファンとを具備するテーブル用ヒーター装置であって、
前記ヒーターは、前記送り方向において前記回転ファンより上流側に配置され、
前記熱反射部は、前記送り方向において前記回転ファンより上流側及び前記ヒーターを覆うように設けられ、
前記回転ファンは、前記回転軸から径方向に放射状に延びる複数の羽根支持部と、前記複数の羽根支持部のそれぞれに前記回転軸心から径方向外方に所定の距離をおいて支持される羽根とを有し、
前記回転駆動部による前記回転ファンの回転駆動によって、前記羽根の回動軌道路において空気を吹き出すドーナツ状の吹き出し領域を形成するとともに、前記ドーナツ状吹き出し領域の内周円内側において空気を吸い込む円形状の吸い込み領域を形成し、前記ヒーターによる温気を前記熱反射部に反射させて前記吹き出し領域から吹き出し、該吹き出された温気を前記吸い込み領域から吸い込み、該吸い込まれた温気をさらに前記熱反射部に反射させて前記吹き出し領域から吹き出すことで、温風を循環させることを特徴とするテーブル用ヒーター装置。
【００１７】
（２）テーブル
前記本発明に係るテーブル用ヒーター装置を備えていることを特徴とするテーブル。
【００１８】
本発明に係るテーブル用ヒーター装置及びテーブルによると、前記ヒーターは、前記送り方向において前記回転ファンより上流側に配置され、前記熱反射部は、前記送り方向において前記回転ファンより上流側及び前記ヒーターを覆うように設けられ、前記回転ファンは、前記回転軸から径方向に放射状に延びる複数の羽根支持部と、前記複数の羽根支持部のそれぞれに前記回転軸心から径方向外方に所定の距離をおいて支持される羽根とを有し、前記回転駆動部による前記回転ファンの回転駆動によって、前記羽根の回動軌道路において空気を吹き出すドーナツ状の吹き出し領域を形成するとともに、前記ドーナツ状吹き出し領域の内周円内側において空気を吸い込む円形状の吸い込み領域を形成し、前記ヒーターによる温気を前記熱反射部に反射させて前記吹き出し領域から吹き出し、さらに言えば、前記ヒーター近傍の前記熱反射部及び前記回転ファンにたまった熱を送風によって効率よく送り出し、該吹き出された温気を前記吸い込み領域から吸い込み、該吸い込まれた温気をさらに前記熱反射部に反射させて前記吹き出し領域から吹き出すことで、温風を循環させるので、テーブル全体をふとん等で覆わなくても、熱がテーブルの下方空間から外側に逃げ難く、それだけ熱効率を向上させることができ、これにより、効率よくスポット暖房を行うことができる。
【００１９】
本発明に係るテーブルとしては、テーブル下方に空間を有するものであれば、いずれのものでもよく、例えば、テーブル台と、該テーブル台を支持する支持脚とを具備するテーブルを挙げることができる。この場合、本発明に係るテーブル用ヒーター装置は、該テーブル台下面の略中央部に下向き設けられることが望ましい。なお、前記支持脚は、前記テーブル台を良好に支持できるものであれば、支持脚の数や長さ、形状に制限されるものではない。本発明に係るテーブルとして、具体的には、ダイニングテーブル等の椅子等に腰掛けて利用するタイプのもの、座敷机等の畳や床に直接的に座って利用するタイプのもの等を例示できる。本発明に係るテーブル用ヒーター装置を備えた本発明に係るテーブルは、いわば、ふとん等で覆われない、ふとんレスタイプのこたつとすることができる。
【００２０】
前記回転ファンの径方向周端部と前記熱反射部との隙間は、広すぎると、この隙間から前記ヒーターによる温気が逃げ易く、熱効率の低下を招き易いので、前記回転ファンの回転等に支障がない程度に、狭くすることが望ましい。この隙間としては、前記回転ファンの大きさや回転数にもよるが、例えば１０ｍｍ程度を挙げることができる。
【００２１】
本発明に係るテーブル用ヒーター装置において、前記熱反射部としては、前記送り方向において前記ヒーターより上流側、且つ、前記回転ファンと同心円上に配置される円形状の第１反射板と、前記第１反射板の周端部から前記回転ファン側、且つ、前記第１反射板に対して略直角に延びる第２反射板とを有するものを例示できる。この場合、前記回転駆動部による前記回転ファンの回転駆動によって、前記ヒーターによる温気を前記熱反射部の前記第１反射板及び前記第１反射板に対して略直角に延びる前記第２反射板に反射させて前記吹き出し領域から吹き出し、該吹き出された温気を前記吸い込み領域から吸い込み、該吸い込まれた温気をさらに前記熱反射部の前記第１反射板及び前記第２反射板に反射させて前記吹き出し領域から吹き出すことで、温風を循環させることができる。このテーブル用ヒーター装置では、温気を前記熱反射部の前記第１反射板及び前記第１反射板に対して略直角に延びる前記第２反射板に反射させるので、前記吹き出し領域から前記回転軸の軸線方向に沿って吹き出し易く、それだけ該吹き出された温気が前記吸い込み領域から吸い込み易くなり、さらに熱効率が向上し易く、一層効率のよいスポット暖房を実現できる。前記第１反射板と第２反射板とのなす角度は略直角であるが、例えば、９０°〜９２°程度を挙げることができる。
【００２２】
本発明に係るテーブル用ヒーター装置において、前記ヒーターとしては、例えば、ハロゲンヒーター、好ましくは、前記ドーナツ状吹き出し領域に沿って設けられた略リング状のハロゲンヒーターを挙げることができる。このように、前記ヒーターとしてハロゲンヒーターを採用する場合には、前記熱反射部からの反射熱と前記回転ファンによる温風とのマッチングにより、利用者は、ほどよい暖かさを体感できる。
【００２３】
ところで、本発明のテーブル用ヒーター装置及びテーブルは、既述のとおり、ふとんレスタイプのこたつとして、例えば、冬などの低温環境下で利用することができるが、夏などの高温環境下では、前記ヒーターに通電せず、前記回転ファンによる循環送風を行ってもよい。この場合、本発明に係るテーブル用ヒーター装置は、前記回転駆動部への通電のオン及びオフの切り換えと、前記ヒーターへの通電のオン及びオフの切り換えとを独立して行うことができるように構成されている場合を例示できる。この構成によると、夏などの高温環境下では、前記回転駆動部への通電がオンされるとともに前記ヒーターへの通電がオフされることで、前記ヒーターに通電されずに、前記回転駆動部による循環送風が行われ、部屋等に設けられたエアコンなどの冷房装置等による床面にたまった冷気が前記吸い込み領域に吸い上げられて送風され、これにより、利用者は、涼感を得ることができる。
【００２４】
【発明の実施の形態】
以下、本発明に係る実施の形態について図面を参照しながら説明する。図１は本発明に係るテーブル用ヒーター装置の一例２０を備えた本発明に係るテーブルの一例１０を示す概略側面図である。図２（Ａ）は図１に示すヒーター装置２０の一部を切り欠いた概略側面図であり、図２（Ｂ）はヒーター装置２０の一部を切り欠いた概略平面図である。また、図３（Ａ）は図１に示すヒーター装置２０の回転ファン２４の一部概略平面図であり、図３（Ｂ）は回転ファン２４における羽根２４ｂの状態を説明するための図であって回転ファン２４を側面から見た図である。
【００２５】
図１に示すテーブル１０は、前記のテーブル用ヒーター装置２０の他、テーブル台１１及び該テーブル台１１を支持する支持脚１２を備えており、ここではダイニングテーブル等の椅子等に腰掛けて利用するタイプのもの又は座敷机等の畳や床に直接的に座って利用するタイプのものである。さらに説明すると、テーブル台１１は、ここでは板状の矩形部材であり、一方の面、すなわち下面の四隅にそれぞれ棒状の支持脚１２が設けられている。ヒーター装置２０は、テーブル台１１下面の略中央部に下向き設けられている。このテーブル用ヒーター装置２０を備えたテーブル１０は、いわば、ふとん等で覆われない、ふとんレスタイプのこたつである。
【００２６】
テーブル用ヒーター装置２０は、図２に示すように、ヒーター２１と、熱反射部２２と、回転軸２３ａを有する回転駆動部（ここではファンモータ）２３と、ファンモータ２３の回転軸２３ａに連接されるとともにファンモータ２３による回転駆動によって空気を回転軸２３ａの軸線２３ａ’方向に沿う所定の送り方向Ｘに送り出す回転ファン２４と、断熱板２５と、これらの部材を収納する装置ケース２６と、装置ケース２６に収納された各部材を保護するガード部材２７とを具備している。
【００２７】
ヒーター２１は、送り方向Ｘにおいてファン２４より上流側に配置されており、例えば、後述するドーナツ状吹き出し領域Ｐに沿って設けられた略リング状のハロゲンヒーターである。さらに説明すると、図２（Ｂ）に示すように、ヒーター２１は、例えば、直径約１０ｍｍの棒状のハロゲンヒーターが直径約２００ｍｍのリング形状に形成されたものである。
【００２８】
熱反射部２２は、図２（Ａ）に示すように、送り方向Ｘにおいてファン２４より上流側及びヒーター２１を覆うように設けられるものである。さらに説明すると、熱反射部２２は、例えば、送り方向Ｘにおいてヒーター２１より上流側、且つ、ファン２４と同心円上に配置される円形状の第１反射板２２ａと、第１反射板２２ａの周端部２２ａ’からファン２４側、且つ、第１反射板２２ａに対して略直角（ここではα＝約９０°）に延びる第２反射板２２ｂとを有しており、断面コの字形状の有底の筒状部材である。この第１及び第２反射板２２ａ，２２ｂの表面には熱を効率よく反射させるための処理が施されている。また、第２反射板２２ｂ端部には編み目構造のガード部材２７が設けられている（図２（Ｂ）も参照）。
【００２９】
断熱板２５は、送り方向Ｘにおいて第１反射板２２ａよりさらに上流側に配置されている。ヒーター装置２０は、この断熱板２５側をテーブル台１１の下面に向けてテーブル台１１に設けられる。これにより、テーブル台１１はヒーター装置２０に対して良好に断熱される。
【００３０】
ファンモータ２３は、第１反射板２２ａの中心部に設けられていて、既述のとおり、回転軸２３ａを有しており、回転軸２３ａを所定の回転方向（図２（Ｂ）及び図３（Ａ）中Ｙ方向）に回転駆動できる。
【００３１】
ファン２４は、図２（Ｂ）及び図３（Ａ）に示すように、回転軸２３ａから径方向に放射状に延びる複数（ここでは四つ）の羽根支持部２４ａと、この複数の羽根支持部２４ａのそれぞれに回転軸２３ａの中心から径方向外方に所定の距離ｄ（図３（Ａ）参照）をおいて支持される羽根２４ｂとを有している。
【００３２】
四つの羽根支持部２４ａは、例えば、円柱状の部材からなり、一端部がファンモータ２３の回転軸２３ａに接続された接続部材２４ｃに支持されている一方、他端部が羽根２４ｂを支持している。
【００３３】
羽根２４ｂは、図３に示すように、略平行四辺形状の板状部材であり、底辺側の一辺が、回転軸２３ａ線ｅに垂直な面ｆに対して所定の角度θで羽根支持部２４ａに設けられている。これにより、ファンモータ２３によるファン２４の回転駆動によって空気を回転軸２３ａの軸線２３ａ’方向に沿う所定の送り方向Ｘに送り出すことができる（図２（Ａ）参照）。また、ファン２４の羽根２４ｂの径方向周端部と熱反射部の第２反射板２２ｂとの隙間ｇは、例えば、１０ｍｍ程度である。
【００３４】
図１０にテーブル用ヒーター装置２０における電気回路の概略ブロック図を示す。図１０に示すように、ヒーター装置２０は、さらに電源２８及びスイッチ部２９とを備えている。
【００３５】
図１０に示す電源２８は、ファンモータ２３及びヒーター２１に駆動電力を供給するものであり、スイッチ部２９を介して、電気的に接続されている。スイッチ部２９は、電源用スイッチＳＷ１及びヒーター用スイッチＳＷ２を備えており、スイッチＳＷ１がオンされることで、電源２８からファンモータ２３に通電できるとともに、スイッチＳＷ２がオンされることで、電源２８からヒーター２１に通電できるものである。これにより、ヒーター２１への通電のオン及びオフの切り換えを行うことができる。
【００３６】
図４にテーブル用ヒーター装置２０によって温風が流れる様子を示す。図４に示すように、テーブル用ヒーター装置２０では、ファンモータ２３によるファン２４の回転駆動によって、羽根２４ｂの回動軌道路において空気を吹き出すドーナツ状の吹き出し領域Ｐ（図２（Ｂ）も参照）が形成される。このとき、熱反射部２２が、既述の通り、送り方向Ｘにおいてファン２４より上流側を覆うように設けられているので、空気が吸い込まれるところが主としてドーナツ状吹き出し領域Ｐの内周円内側となり、ドーナツ状吹き出し領域Ｐの内周円内側において空気を吸い込む円形状の吸い込み領域Ｑ（図２（Ｂ）も参照）が形成される。そして、ヒーター２１による温気が熱反射部２２の第１反射板２２ａ及び第１反射板２２ａに対して略直角に延びる第２反射板２２ｂに反射して吹き出し領域Ｐから吹き出され、さらに言えば、ヒーター２１近傍の第１反射板２２ａ及び第２反射板２２ｂ並びにファン２４にたまった熱が送風によって効率よく送り出され、該吹き出された温気が吸い込み領域Ｑから吸い込まれ、該吸い込まれた温気がさらに熱反射部２２の第１反射板２２ａ及び第２反射板２２ｂに反射して吹き出し領域Ｐから吹き出され、温風が循環する。
【００３７】
このように、テーブル用ヒーター装置２０及びテーブル１０によると、ファンモータ２３によるファン２４の回転駆動によって、羽根２４ｂの回動軌道路において空気を吹き出す吹き出し領域Ｐを形成するとともに、吹き出し領域Ｐの内周円内側において空気を吸い込む吸い込み領域Ｑを形成し、ヒーター２１による温気を熱反射部２２に反射させて吹き出し領域Ｐから吹き出し、さらに言えば、ヒーター２１近傍の第１反射板２２ａ及び第２反射板２２ｂ並びにファン２４にたまった熱を送風によって効率よく送り出し、該吹き出された温気を吸い込み領域Ｑから吸い込み、該吸い込まれた温気をさらに熱反射部２２に反射させて吹き出し領域Ｐから吹き出すことで、温風を循環させるので、図１に示すように、テーブル全体をふとん等で覆わなくても、熱（例えば、図１中斜線部のハロゲンヒーター２１の反射熱）がテーブル１０の下方空間から外側に逃げ難く、それだけ熱効率を向上させることができ、これにより、効率よくスポット暖房を行うことができる。
【００３８】
また、本例では、図４に示すように、温気を熱反射部２２の第１反射板２２ａ及び第１反射板２２ａに対して略直角に延びる第２反射板２２ｂに反射させるので、吹き出し領域Ｐから回転軸２３ａの軸線ｅ方向に沿って吹き出し易く、それだけ該吹き出された温気が吸い込み領域Ｑから吸い込み易くなり、さらに熱効率が向上し易く、一層効率のよいスポット暖房を実現できる。
【００３９】
さらに、本例では、ヒーター２１としてハロゲンヒーターを用いるので、熱反射部２２からの反射熱とファン２４による温風とのマッチングにより、利用者は、ほどよい暖かさを体感できる。
【００４０】
また、本例では、ヒーター２１への通電のオン及びオフの切り換えを行うことができるように構成されているので、夏などの高温環境下では、スイッチＳＷ１がオンされてファンモータ２３への通電がオンされるとともにスイッチＳＷ２がオフされてヒーター２１への通電がオフされることで、ヒーター２１に通電されずに、ファンモータ２３による循環送風が行われ、部屋等に設けられたエアコンなどの冷房装置等による床面にたまった冷気が吸い込み領域Ｑに吸い上げられて送風され、これにより、利用者は、涼感を得ることができる。
【００４１】
本例のテーブル用ヒーター装置２０は、図１に示すように、テーブルに設けられるものであるが、次のように利用してもよい。すなわち、
（ａ）図５に示すように、脱衣所等の部屋の天井１００に設置して天井設置用のスポット暖房機器乃至送風機器として利用してもよい。
（ｂ）図６に示すように、部屋の壁２００等に設置して壁掛け用のスポット暖房機器乃至送風機器として利用してもよい。
（ｃ）図７に示すように、部屋の床３００等に設置して床置き用のスポット暖房機器乃至送風機器として利用してもよい。
（ｄ）図８に示すように、持ち運びできるポータブルストーブ乃至ポータブル送風機器として利用してもよい。
（ｅ）図９に示すように、ふとん等で覆われない、ふとんレスタイプの堀ごたつ４００の加熱装置乃至送風装置として利用してもよい。
【００４２】
【発明の効果】
以上説明したように本発明によると、ヒーターと、熱反射部と、回転軸を有する回転駆動部と、前記回転駆動部の前記回転軸に連接されるとともに前記回転駆動部による回転駆動によって空気を前記回転軸の軸線方向に沿う所定の送り方向に送り出す回転ファンとを具備するテーブル用ヒーター装置であって、テーブル全体をふとん等で覆わなくても、熱がテーブルの下方空間から外側に逃げ難く、それだけ熱効率を向上させることができ、これにより、効率よくスポット暖房を行うことができるテーブル用ヒーター装置及びそれを備えたテーブルを提供することができる。
【図面の簡単な説明】
【図１】本発明に係るテーブル用ヒーター装置の一例を備えた本発明に係るテーブルの一例を示す概略側面図である。
【図２】図（Ａ）は図１に示すヒーター装置の一部を切り欠いた概略側面図であり、図（Ｂ）はヒーター装置の一部を切り欠いた概略平面図である。
【図３】図（Ａ）は図１に示すヒーター装置の回転ファンの一部概略平面図であり、図（Ｂ）は回転ファンにおける羽根の状態を説明するための図であって回転ファンを側面から見た図である。
【図４】テーブル用ヒーター装置によって温風が流れる様子を示す図である。
【図５】テーブル用ヒーター装置を、脱衣所等の部屋の天井に設置して天井設置用のスポット暖房機器乃至送風機器として利用した状態を示す図である。
【図６】テーブル用ヒーター装置を、部屋の壁等に設置して壁掛け用のスポット暖房機器乃至送風機器として利用した状態を示す図である。
【図７】テーブル用ヒーター装置を、部屋の床等に設置して床置き用のスポット暖房機器乃至送風機器として利用した状態を示す図である。
【図８】テーブル用ヒーター装置を、持ち運びできるポータブルストーブ乃至ポータブル送風機器として利用した状態を示す図である。
【図９】テーブル用ヒーター装置を、ふとん等で覆われない、ふとんレスタイプの堀ごたつの加熱装置乃至送風装置として利用した状態を示す図である。
【図１０】テーブル用ヒーター装置における電気回路の概略ブロック図である。
【図１１】図（Ａ）は従来のヒーター付きテーブルの一例の概略側面図であり、図（Ｂ）は図（Ａ）に示すテーブル用ヒーター装置の一部拡大図である。
【符号の説明】
１０…テーブル  ２０…テーブル用ヒーター装置  ２１…ヒーター
２２…熱反射部  ２２ａ…第１反射板  ２２ｂ…第２反射板  ２３…回転駆動部
２３ａ…回転軸  ２３ａ’…回転軸２３ａの軸線  ２４…回転ファン
２４ａ…羽根支持部  ２４ｂ…羽根  ２８…電源  ２９…スイッチ部
Ｐ…ドーナツ状吹き出し領域  Ｑ…円形状吸い込み領域  Ｘ…送り方向
【図１】
2005000419.tif 000003
【図２】
2005000419.tif 000004
【図３】
2005000419.tif 000005
【図４】
2005000419.tif 000006
【図５】
2005000419.tif 000007
【図６】
2005000419.tif 000008
【図７】
2005000419.tif 000009
【図８】
2005000419.tif 000010
【図９】
2005000419.tif 000011
【図１０】
2005000419.tif 000012
【図１１】
2005000419.tif 000013